(57)【要約】【課題】大容量のコンデンサやリアクタを用いることなく、入力電圧の倍電圧を発生することができる占有体積の小さい電力変換装置、及びこれを用いたコンパクトなモータ駆動装置、空気調和機を提供することを目的とする。【解決手段】複数のコンデンサ（１０２、１０３）と並列に接続された整流手段１０７とスイッチ手段１０４とからなる直列回路と、前記複数のコンデンサ（１０２、１０３）間の接続点、前記整流手段１０７の一端と前記スイッチ手段１０４との接続点の間に接続された第一のリアクタ１０６とを備え、全波整流手段１０１における他の出力端子と前記スイッチ手段１０４の他端子とを接続し、前記交流電源１００と前記全波整流手段１０１の入力端子間に第二のリアクタ１０５を設けるとともに、前記スイッチ手段１０４を、前記交流電源の周期より短い周期でスイッチ動作する電力変換装置である。【選択図】図１
2006034028.tif 000002
【特許請求の範囲】
【請求項１】
交流電源に接続された１対の入力端と、間に複数のコンデンサが直列に接続された１対の出力端と、前記複数のコンデンサと並列に接続された整流手段とスイッチ手段とからなる直列回路と、前記複数のコンデンサ間の接続点、前記整流手段の一端と前記スイッチ手段との接続点の間に接続された第一のリアクタとを備え、前記整流手段と前記第一のリアクタと前記スイッチ手段との接続点を、前記交流電源の全波整流手段の一出力端子に接続し、前記全波整流手段における他の出力端子と前記スイッチ手段の他端子とを接続し、前記交流電源と前記全波整流手段の入力端子間に第二のリアクタを設けるとともに、前記スイッチ手段を、前記交流電源の周期より短い周期でスイッチ動作することを特徴とする電力変換装置。
【請求項２】
全波整流手段の出力端子と第二のリアクタの一端子とを接続し、第二のリアクタの他端子を、第一のリアクタとスイッチ手段と整流手段との接続点に接続したことを特徴とする請求項１記載の電力変換装置。
【請求項３】
スイッチ手段のＯＮ／ＯＦＦ比を、電力変換装置の出力端子電圧値に基づいて変更することを特徴とする請求項１記載の電力変換装置。
【請求項４】
スイッチ手段のスイッチ周波数を、電力変換装置の出力端子電圧値に基づいて変更することを特徴とする請求項１記載の電力変換装置。
【請求項５】
スイッチ手段のスイッチ周波数とＯＮ／ＯＦＦ比とを、電力変換装置の出力端子電圧値に基づいて変更することを特徴とする請求項１記載の電力変換装置。
【請求項６】
複数のコンデンサのうち、少なくとも１つの容量が異なることを特徴とする請求項１記載の電力変換装置。
【請求項７】
複数のコンデンサのうち、第一のリアクタとスイッチ手段とで環状回路を構成する第一のコンデンサの容量を、少なくとも他のコンデンサ容量よりも大きくすることを特徴とする請求項６記載の電力変換装置。
【請求項８】
第一のコンデンサと第一および第二のリアクタから構成されるＬＣ直列共振回路において、その共振周波数をおよそ電源周波数もしくはその２倍周波数とすることを特徴とする請求項１記載の電力変換装置。
【請求項９】
第一のコンデンサと第一および第二のリアクタから構成されるＬＣ直列共振回路において、その共振周波数を５０Ｈｚから６０Ｈｚ間もしくは１００Ｈｚから１２０Ｈｚ間の周波数とすることを特徴とする請求項１記載の電力変換装置。
【請求項１０】
請求項１〜９のいずれか１項に記載の電力変換装置にインバータ装置を連接して、そのインバータ出力電力を、多相の駆動電圧に変換してモータに出力することを特徴とするモータ駆動装置。
【請求項１１】
スイッチ手段のスイッチ周期は、モータの最大出力時に、インバータ入力端子電圧がゼロまで落ちない程度に短く設定されていることを特徴とする請求項１０記載のモータ駆動装置。
【請求項１２】
モータのトルクが必要とされる所定値以上のときには、スイッチ手段のＯＮ／ＯＦＦ動作を停止することを特徴とする請求項１０記載のモータ駆動装置。
【請求項１３】
モータのトルクの過不足を、前記モータに供給される電力から判断することを特徴とする請求項１０記載のモータ駆動装置。
【請求項１４】
モータのトルクの過不足を、前記モータの指令回転数と実際の回転数とから判断することを特徴とする請求項１０記載のモータ駆動装置。
【請求項１５】
モータのトルクの過不足を、前記モータに供給する電流値から判断することを特徴とする請求項１０記載のモータ駆動装置。
【請求項１６】
スイッチ手段を駆動する電源として、インバータ回路を駆動する電源を用いることを特徴とする請求項１０記載のモータ駆動装置。
【請求項１７】
電力変換装置に入力する電流の高調波成分が減少するように、スイッチ手段をＯＮ／ＯＦＦすることを特徴とする請求項１０記載のモータ駆動装置。
【請求項１８】
電力変換装置は、モータ停止時の回生電流を充電するコンデンサを有することを特徴とする請求項１０記載のモータ駆動装置。
【請求項１９】
スイッチ手段は、インバータ回路を駆動するインバータ駆動部から供給される駆動信号により動作することを特徴とする請求項１０記載のモータ駆動装置。
【請求項２０】
請求項１〜９のいずれか１項に記載の電力変換装置を有する空気調和機。
【発明の詳細な説明】
【技術分野】
【０００１】
本発明は、電力変換装置及びモータ駆動装置に関し、特に、入力電圧を昇圧することができる電力変換装置、及びそれを用いたモータ駆動装置に関するものである。
【背景技術】
【０００２】
従来、入力電圧を整流昇圧する電力変換回路には、全波倍電圧回路が使用されていた。
【０００３】
図８は、従来の全波倍電圧回路の一例を示す回路図である。
【０００４】
この全波倍電圧回路は、交流電源１の出力電圧を整流するブリッジダイオード回路４と、交流電源１と該ブリッジダイオード回路３、４との間に直列に接続された力率改善用リアクタ２と、該ブリッジダイオード回路７、８に並列に接続された直列接続の２つの電解コンデンサ５及び６と、該電解コンデンサ５及び６に並列に接続された電解コンデンサ９とを有している。
【０００５】
このような全波倍電圧回路では、交流電源１の出力電圧がブリッジダイオード回路を構成するダイオード３、及び４、７、８により全波整流され、ブリッジダイオード回路の全波整流出力により電解コンデンサ５及び６が、交流電源１の出力電圧の周期で交互に充電される。この充電により直列接続のコンデンサ５及び６の両端に発生した交流電源１の倍電圧は、電解コンデンサ９により平滑され、全波倍電圧回路の出力端子間には、平滑された倍電圧が発生する。
【０００６】
さらに、全波倍電圧回路には、効率を向上させるため、直列接続のダイオードの整流出力により充電される倍電圧用コンデンサに金属化フィルムコンデンサを使用し、ブリッジダイオード回路を２個並列に接続した全波倍電圧整流回路も考えられている（例えば、特許文献１参照）。
【０００７】
また、入力電源の力率を向上させ、かつ入力電圧を任意の電圧まで昇圧する方法として、整流回路に昇圧回路を具備した回路方式も考えられている（例えば、特許文献２参照）。
【０００８】
図７は、特許文献２に示される電圧変換回路を説明する図である。
【０００９】
この電圧変換回路は、交流電源１の出力電圧を整流する整流回路１２と、該整流回路１２の出力電圧を昇圧する昇圧回路１３と、該昇圧回路１３の出力電圧により充電される電解コンデンサ１７とを備えている。
【００１０】
ここで、前記整流回路１２は、４個のブリッジ接続されたダイオードから構成されている。また、昇圧回路１３は、一端が前記整流回路１２の一方の出力端子に接続されたリアクタ１４と、アノードがリアクタ１４の他端に、カソードが電圧変換回路１１の一方の出力端子に接続されたダイオード１６と、該リアクタ１４及びダイオード１６の接続点と前記整流回路１２の他方の出力端子との間に接続されたスイッチング素子１５とを有している。ここで、該スイッチング素子１５はＩＧＢＴ（絶縁ゲート型バイポーラトランジスタ）であり、該ＩＧＢＴ１５には逆並列にダイオードが接続されている。
【００１１】
この電圧変換回路では、交流電源１１から供給される交流電圧が整流回路１２により整流され、該整流回路１２の出力が昇圧回路１３に入力されると、昇圧回路１３では、前記
整流回路１２の出力がスイッチング素子１５のＯＮ／ＯＦＦにより昇圧される。つまり、昇圧回路１３では、スイッチング素子１５のオンにより、リアクタ１４の出力側の電路が短絡してリアクタ１４に整流回路１２から直流電流が流入し、エネルギーがリアクタ１４に蓄えられる。その後、スイッチング素子１５がオフすると、リアクタ１４に誘起電圧が発生し、コンデンサ１７が前記誘起電圧と整流回路１２の出力との和電圧により充電され、コンデンサ１７の端子間には、整流回路１２の出力より高い電圧が発生する。
【００１２】
このタイプの昇圧回路１３を有する電圧変換回路では、スイッチング素子１５のオン期間とオフ期間の時間比を調整することにより、交流電源からの入力電流がその波形が正弦波状になるよう制御され、力率を改善することができ、さらに、前記時間比の調整により該入力電流の大きさ（絶対値）を制御して、出力される直流電圧のレベル制御を行うことができる。
【特許文献１】特開２００１−２１１６５１公報（第１図）
【特許文献２】特許第３３０８９９３号公報（第１図）
【発明の開示】
【発明が解決しようとする課題】
【００１３】
しかしながら、図８に示す従来の全波倍電圧回路では、大容量の倍電圧用コンデンサ５及び６と力率改善用のリアクタ２が必要であり、また、倍電圧用コンデンサの容量が小さいと、倍電圧回路としての動作が行われない。
【００１４】
簡単に説明すると、倍電圧回路の動作は、直列接続の２つのコンデンサが、入力である交流電圧の半周期毎に交互に充電され、前記２つのコンデンサ端子電圧の和電圧が出力されるというものである。このため、コンデンサの容量が小さいと、充電されたコンデンサの端子電圧が、充電が行われない入力電圧の半周期の間に降下してしまい、２つのコンデンサ端子電圧の和電圧として出力されるが、倍電圧回路の出力電圧は入力電圧の２倍にならない。
【００１５】
また、図８に示す従来の電圧変換回路は、昇圧回路１３を構成するリアクタ１４の容量と、昇圧回路１３の出力により充電されるコンデンサ１７の容量とが、スイッチング素子１５のスイッチング周波数によって決定される。つまり、リアクタ１４の容量を小さくするためには、入力側に現れる高調波電流が抑えられるようスイッチング周波数を上げる必要がある。また、コンデンサ１７の容量を減少させるとコンデンサ１７に充電される電圧のリップルが大きくなることから、そのリップルを小さくするためにはスイッチング周波数を高くする必要がある。
【００１６】
ところが、この種の電圧変換回路では、効率や高周波スイッチング素子のコストなどから、昇圧回路１３での現実のスイッチング周波数を高くするにも限界があり、そのためリアクタ１４とコンデンサ１７の容量は一定以上小さくすることができない。
【００１７】
このように、従来の従来例１の全波倍電圧回路や従来例２の電圧変換回路のような回路構成では、これらの回路を構成するコンデンサやリアクタの容量を一定以上減少させることができないため回路全体を小さくすることができず、このような回路を用いるモータ駆動装置の小型化は困難であるという課題があった。
【００１８】
本発明は、前記のような課題を解決するためになされたもので、大容量のコンデンサやリアクタを用いることなく、入力電圧の倍電圧を発生することができる占有体積の小さい電力変換装置、及びこれを用いたコンパクトなモータ駆動装置、空気調和機を提供することを目的とする。
【課題を解決するための手段】
【００１９】
前記目的を達成するために本発明は、交流電源に接続された１対の入力端と、間に複数のコンデンサが直列に接続された１対の出力端と、前記複数のコンデンサと並列に接続された整流手段とスイッチ手段とからなる直列回路と、前記複数のコンデンサ間の接続点、前記整流手段の一端と前記スイッチ手段との接続点の間に接続された第一のリアクタとを備え、前記整流手段と前記第一のリアクタと前記スイッチ手段との接続点を、前記交流電源の全波整流手段の一出力端子に接続し、前記全波整流手段における他の出力端子と前記スイッチ手段の他端子とを接続し、前記交流電源と前記全波整流手段の入力端子間に第二のリアクタを設けるとともに、前記スイッチ手段を、前記交流電源の周期より短い周期でスイッチ動作することを特徴とする電力変換装置である。
【００２０】
これにより、入力された交流電圧の倍電圧を発生する直列接続の複数のコンデンサに、複数のリアクタにエネルギーを前記スイッチング手段のＯＮ／ＯＦＦにより、前記入力電源の周期より短い周期で充電するので、この電力変換装置にて昇圧電圧を発生するのに必要な各コンデンサの容量およびリアクタ容量を大きく低減することができる。また、このような電力変換装置を構成するコンデンサの容量削減により、該回路の力率改善用として用いられるリアクタ容量も減らすことができる。この結果、電力変換装置の容積の大部分を占めるコンデンサやリアクタを小さくすることができ、電力変換装置を小型化することができる。
【発明の効果】
【００２１】
本発明によれば、大容量のコンデンサやリアクタを用いることなく、入力電圧の倍電圧を発生することができる占有体積の小さい電力変換装置、及びこれを用いたコンパクトなモータ駆動装置、空気調和機を提供できる。
【発明を実施するための最良の形態】
【００２２】
第１の発明は、交流電源に接続された１対の入力端と、間に複数のコンデンサが直列に接続された１対の出力端と、前記複数のコンデンサと並列に接続された整流手段とスイッチ手段とからなる直列回路と、前記複数のコンデンサ間の接続点、前記整流手段の一端と前記スイッチ手段との接続点の間に接続された第一のリアクタとを備え、前記整流手段と前記第一のリアクタと前記スイッチ手段との接続点を、前記交流電源の全波整流手段の一出力端子に接続し、前記全波整流手段における他の出力端子と前記スイッチ手段の他端子とを接続し、前記交流電源と前記全波整流手段の入力端子間に第二のリアクタを設けるとともに、前記スイッチ手段を、前記交流電源の周期より短い周期でスイッチ動作することを特徴とする電力変換装置である。
【００２３】
これにより、入力された交流電圧の倍電圧を発生する直列接続の複数のコンデンサに、複数のリアクタにエネルギーを前記スイッチング手段のＯＮ／ＯＦＦにより、前記入力電源の周期より短い周期で充電するので、この電力変換装置にて昇圧電圧を発生するのに必要な各コンデンサの容量およびリアクタ容量を大きく低減することができる。また、このような電力変換装置を構成するコンデンサの容量削減により、該回路の力率改善用として用いられるリアクタ容量も減らすことができる。この結果、電力変換装置の容積の大部分を占めるコンデンサやリアクタを小さくすることができ、電力変換装置を小型化することができる。
【００２４】
第２の発明は、全波整流手段の出力端子と第二のリアクタの一端子とを接続し、第二のリアクタの他端子を、第一のリアクタとスイッチ手段と整流手段との接続点に接続したことを特徴とするもので、第二のリアクタにおける還流電流が流れるダイオード回路が構成でき、さらに第二のリアクタがＤＣリアクタで構成でき、低コストで高効率な電力変換装置を実現することができる。
【００２５】
第３の発明は、スイッチ手段のＯＮ／ＯＦＦ比を、電力変換装置の出力端子電圧値に基づいて変更することを特徴とするもので、複数のリアクタおよびコンデンサに蓄えられるエネルギーを可変することができ、容易に電力変換装置の出力端子電圧を可変することができる。
【００２６】
第４の発明は、スイッチ手段のスイッチ周波数を、電力変換装置の出力端子電圧値に基づいて変更することを特徴とするもので、直列に接続されたリアクタおよびコンデンサの時定数との関係から蓄えられるエネルギーを可変することができ、容易に電力変換装置の出力端子電圧を可変することができる。
【００２７】
第５の発明は、スイッチ手段のスイッチ周波数とＯＮ／ＯＦＦ比とを、電力変換装置の出力端子電圧値に基づいて変更することを特徴とするもので、電力変換装置の出力電圧を可変することができるばかりでなく、入力電流の電流リップル成分および出力電圧のリップル成分を低減することができる。
【００２８】
第６の発明は、複数のコンデンサのうち、少なくとも１つの容量が異なることを特徴とするもので、出力端子における直列接続の複数コンデンサの容量を異なる組合せにすることにより、トータル出力電圧における昇圧比を任意に設定することができる。
【００２９】
第７の発明は、複数のコンデンサのうち、第一のリアクタとスイッチ手段とで環状回路を構成する第一のコンデンサの容量を、少なくとも他のコンデンサ容量よりも大きくすることを特徴とするもので、前記複数のコンデンサのうち、第一のリアクタとスイッチ手段とで環状回路を構成する第一のコンデンサの容量を少なくとも他のコンデンサ容量よりも大きくすることにより、トータルの出力電圧における昇圧比を高く設定することができる。
【００３０】
この結果、スイッチング手段を多用し、一旦リアクタにエネルギーを蓄積する昇圧動作時におけるスイッチング損失を低減することができ、高効率な電力変換装置を実現することができる。
【００３１】
第８の発明は、第一のコンデンサと第一および第二のリアクタから構成されるＬＣ直列共振回路において、その共振周波数をおよそ電源周波数もしくはその２倍周波数とすることを特徴とするもので、前記第一のコンデンサと第一および第二のリアクタから構成されるＬＣ直列共振回路における直列共振周波数を、およそ電源周波数もしくはその２倍の周波数とすることにより、電源からみたインピーダンスを下げることができ、電流を効率よく流すことができ、電源力率を高くすることができる。
【００３２】
第９の発明は、第一のコンデンサと第一および第二のリアクタから構成されるＬＣ直列共振回路において、その共振周波数を５０Ｈｚから６０Ｈｚ間もしくは１００Ｈｚから１２０Ｈｚ間の周波数とすることを特徴とするもので、とくにその共振周波数を５０Ｈｚから６０Ｈｚ間もしくは１００Ｈｚから１２０Ｈｚ間の周波数に設定することにより、電源周波数に適切に同期した共振回路を構成できるものである。
【００３３】
第１０の発明は、請求項１〜９のいずれか１項に記載の電力変換装置にインバータ装置を連接して、そのインバータ出力電力を、多相の駆動電圧に変換してモータに出力することを特徴とするモータ駆動装置で、従来方式の電力変換装置を搭載したモータ駆動装置に比べて、小型でかつ軽量化を実現できるものである。
【００３４】
第１１の発明は、スイッチ手段のスイッチ周期は、モータの最大出力時に、インバータ
入力端子電圧がゼロまで落ちない程度に短く設定されていることを特徴とするもので、モータの全駆動領域において電力変換装置の昇圧動作を保証することができる。
【００３５】
第１２の発明は、モータのトルクが必要とされる所定値以上のときには、スイッチ手段のＯＮ／ＯＦＦ動作を停止することを特徴とするもので、電力変換装置での電力損失を低減させることができる。
【００３６】
つまり、昇圧動作が必要ではないような低負荷領域では電力変換装置の昇圧動作を停止することによって、全波整流回路＋パッシブ型のＬＣ共振回路だけを動作させ、回路の動作効率を向上させることができる。
【００３７】
第１３の発明は、モータのトルクの過不足を、前記モータに供給される電力から判断することを特徴とするもので、モータのトルクの過不足を、前記モータに供給される電力から判断するので、モータのトルクの過不足を容易に推測することができ、モータトルクに応じて動作するスイッチ手段を容易に実現することができる。
【００３８】
第１４の発明は、モータのトルクの過不足を、前記モータの指令回転数と実際の回転数とから判断することを特徴とするもので、モータのトルクの過不足を、前記モータの指令回転数と、実際の回転数とから判断するので、モータのトルクの過不足を正確に検出することができ、モータトルクに応じたスイッチ手段の動作を正しく行うことができる。
【００３９】
第１５の発明は、モータのトルクの過不足を、前記モータに供給する電流値から判断することを特徴とするもので、モータのトルクの過不足を、前記モータに供給する電流の振幅値から判断するので、モータトルクに応じて動作するスイッチ手段を容易に実現することができる。
【００４０】
第１６の発明は、スイッチ手段を駆動する電源として、インバータ回路を駆動する電源を用いることを特徴とするもので、スイッチング手段を駆動する電源として、電力変換装置の昇圧出力を３相駆動電圧に変換するインバータ駆動回路電源を用いるので、とくにスイッチング手段専用の駆動電源を用意する必要がなくなり、大きな回路点数の減少を実現し、回路スペースの縮小とコストダウンを行うことができる。
【００４１】
第１７の発明は、電力変換装置に入力する電流の高調波成分が減少するように、スイッチ手段をＯＮ／ＯＦＦすることを特徴とするもので、前記スイッチング手段を、前記電力変換装置に入力される電流の力率が向上するようＯＮ／ＯＦＦするので、入力電流の力率を向上させ、入力側での高調波電流の発生を軽減することができる。
【００４２】
第１８の発明は、電力変換装置は、モータ停止時の回生電流を充電するコンデンサを有することを特徴とするもので、前記電力変換装置は、その出力端に接続されたモータ停止時の回生電流を充電するコンデンサを有するので電力回生が可能となり、システム効率を向上させることが可能である。
【００４３】
第１９の発明は、スイッチ手段は、インバータ回路を駆動するインバータ駆動部から供給される駆動信号により動作することを特徴とするもので、前記スイッチ手段は、前記インバータ回路を駆動するインバータ駆動部（多くの場合、マイクロコンピュータやＤＳＰが使用される）から、モータ駆動と本電力変換装置とを連動して制御することができる。
【００４４】
第２０の発明は、請求項１〜９のいずれか１項に記載の電力変換装置を有する空気調和機で、圧縮機のモータを駆動するモータ駆動装置として、前記モータ駆動装置を備えているので、モータ駆動装置の電力変換装置で用いられるコンデンサの容量を小さくすること
ができ、これにより、モータ駆動装置の小型化及び低価格化、ひいては空気調和機の小型化及び低価格化を図ることができる。
【００４５】
以下、本発明の実施の形態について、図面を用いて説明する。なお、この実施の形態によって本発明が限定されるものではない。
【００４６】
（実施の形態１）
図１は、本発明の実施の形態１による電力変換装置を説明するための回路図である。
【００４７】
この発明実施における電力変換装置は、交流電源１００を入力とし、入力電圧をその振幅値以上の非負の電圧に変換して出力することが可能な回路であり、前記交流電源１００の出力電圧が印加される１対の入力端及と、前記入力電圧振幅値以上の非負の電圧を出力する１対の出力端とを有している。
【００４８】
すなわち、この電力変換装置は、図１において、前記入力端に印加された交流電源１の出力電圧を整流して出力する整流ダイオードブリッジ１０１と、前記出力端の間に直列に接続された第１及び第２のコンデンサ１０２及び１０３と、交流電源１００の出力電圧により第１及び第２のコンデンサの充電が、該交流電源１００の出力電圧の周期より短い周期で繰り返し行われるように、スイッチ手段１０４とを備えている。ここで、交流電源１００は直列に接続された第二のリアクタ１０５を介してダイオードブリッジ１０１の入力端子に接続され、第一のリアクタ１０６は第二のコンデンサ１０２と直列共振回路を構成されており、ダイオードブリッジ１０１の出力端子に接続されている。このスイッチ手段１０４、ダイオードブリッジ１０１、第一のリアクタ１０６の接続点にダイオード１０７のアノードが接続されている。なお、抵抗１０８は、実際には回路負荷に相当する。
【００４９】
次に、本電力変換回路の動作を、図３（ａ）、（ｂ）、（ｃ）をもちいて説明をおこなう。図３（ａ）においては、動作のうちモード１の状態を説明する。本モードは、スイッチ手段１０４はＯＦＦ状態であり、２つの経路でコンデンサ１０２およびコンデンサ１０３へ充電がおこなわれる。第一の経路は、電源１００から、第二のリアクタ１０５、第一のリアクタ１０６および第一のコンデンサ１０２の直列共振回路でコンデンサ１０２へ充電がおこなわれる。第二の経路は、電源１００から、第二のリアクタ１０５を介して、第一および第二のコンデンサ１０２、１０３の直列共振回路を介して充電がおこなわれる。この第一および第二の充電経路における時定数が異なるため、電源１００からの電流の通電角が広がり力率改善に寄与する。
【００５０】
次に、図３（ｂ）において、モード２を説明する。本モードは、スイッチ手段１０４がＯＮ状態（閉回路）を構成した状態における電流の２経路を説明する。第一の経路において、第二のリアクタ１０５を介して電源１００から短絡電流が流れ、第二のリアクタ１０５に磁気エネルギーが蓄積される。一方、モード１でコンデンサ１０２に蓄電された電荷が、第一のリアクタ１０６に磁気エネルギーの形で転移され、蓄積される。このとき、電源１００殻見ると短絡モードになるために、整流後の２次電圧に関係なく1次電流が流れ、電流力率改善（通電幅の拡大）が実現できる。
【００５１】
次に、図３（ｃ）において、モード３を説明する。本モードは、モード２においてスイッチ手段１０４が閉じた後に、ＯＦＦ（開回路）を構成する状態を示すもので２つの電流経路を構成するものである。すなわち、２個の第二のリアクタ１０５、１０６に蓄積された磁気エネルギーは、スイッチ手段１０４がＯＦＦするとともに、電流の加阿知でダイオード１０７を介して、コンデンサ１０３およびコンデンサ１０２を充電する。この際に、モード１において、コンデンサ１０２およびコンデンサ１０３は事前に電源１００により電源電圧まで充電されているので、さらにこの還流電流により電荷（電流）が蓄積されて
、負荷１０８に印加される電圧は、モード１から昇圧動作されるものである。
【００５２】
図４（ａ）に本電力変換装置における各主要部の波形をしめす。同図において、上から1次電源電圧波形、すなわち電源１００における電圧波形、中段が１次電源電流波形、下段が負荷１０８における出力電圧波形である。電源電圧は、５０Ｈｚ１００Ｖ交流電圧であり、負荷における電圧はピーク電圧でおよそ３００Ｖ直流電圧まで昇圧されている。
【００５３】
なお、この解析に使用した回路は、図１の回路構成であり、その他の各構成要素の部品定格は次のとおりである。コンデンサ１０２が５μF、コンデンサ１０３が５μF、スイッチ１０４は理想スイッチでありスイッチング周波数５KＨｚ、ＯＮ／ＯＦＦ比が５０％で動作、第二のリアクタ１０５が０．５ｍH、リアクタ１０６が０．５ｍH、ダイオード１０７が理想ダイオードである場合のシミュレーション結果である。なお、図４（ｂ）は図４（ａ）の拡大波形図であり、さらにスイッチ手段１０４の駆動波形を示したものである。
【００５４】
（実施の形態２）
また、図２においては、第二のリアクタ１０５はダイオードブリッジ１０１の出力端子側とスイッチ手段１０４の間に結線接続されるものであり、モード３における第二のリアクタ１０５の回生電流を吸収する回路をダイオードブリッジ１０１のダイオードにより構成することにより、電源１００に対して回生電流が流れることを防止できるものである。この回生電流を電源回路へ流さない構成により、電源への発生ノイズ成分を低減できるとともに、変換効率の向上を図ることができるものである。
【００５５】
（実施の形態３）
また、本実施の形態において、スイッチ手段１０４のＯＮ／ＯＦＦ比を変更することにより、負荷に印加される電圧を変更することができる。図５においては、図４におけるシミュレーションと同条件下において、スイッチ手段１０４におけるＯＮ／ＯＦＦデュティを、３０％、５０％、７０％に変更した場合の図４（ａ）と同等の主要各部における電圧・電流波形をしめしたものであり、スイッチ手段１０４におけるＯＮ／ＯＦＦデュティを変更することにより、負荷に印加される電圧を変更制御することが可能である。
【００５６】
すなわち、スイッチ手段１０４の駆動デュティ制御のみで出力電圧可変の電力変換装置を実現することができるものである。
【００５７】
また、スイッチ手段１０４におけるスイッチング周波数を変更することによっても、上記モード１、モード２、モード３における各モード時間が変化する中でリアクタ、コンデンサにおける充放電回路時定数が一定であるために、同様に負荷に印加される電圧を変更制御することが可能となり、上記と同じ効果を得ることが可能となるものである。
【００５８】
また、スイッチ手段１０４におけるスイッチング周波数とＯＮ／ＯＦＦ比を同時に変更することによっても、同様に負荷に印加される電圧を変更制御することが可能となる。さらに、本実施の形態における特徴として、スイッチング周波数とＯＮ／ＯＦＦ比を適切な組み合わせにすることにより、電源１００における１次電流におけるリップル成分や負荷における電圧リップル成分を低減することが可能となる。
【００５９】
単に、デュティのみでの変更制御では、可変デュティが極端に広い場合や狭い場合においてリップル成分が増加する。また、ディティ固定で周波数のみでの変更で制御を行うとスイッチングに伴う発生ノイズに幅広い周波数範囲のノイズが生じるといった課題が発生するので、周波数とデュティをともに変更することにより、前記課題を解決できるものである。具体的には、スイッチ手段１０４のＯＮ時間を一定になるような制御を行う。
【００６０】
また、図１において、コンデンサ１０３とコンデンサ１０２のコンデンサ容量を変更することにより、モード１における充電時定数を制御することができ電源１００からの合成された充電電流の通電角を任意に設定することができる。すなわち、モード１において、コンデンサ１０２に充電された電荷を、モード３でコンデンサ１０３へチャージする際に電荷の移動時において、両コンデンサの端子電圧が変わることを利用するものである。
【００６１】
また、とくにコンデンサ１０２のコンデンサ容量をコンデンサ１０３よりも大きくすることにより、モード１におけるコンデンサ１０２における充電電荷量を大きくすることができ、モード３時における昇圧比を大きくとることが可能となる。さらにコンデンサ１０２とコンデンサ１０３における分圧比はコンデンサ容量の逆比例となることも利用できるものである。
【００６２】
また、第二のリアクタ１０５、リアクタ１０６およびコンデンサ１０２における直列共振周波数をおよそ電源周波数もしくはその２倍の周波数に設定することにより、モード１における電源からの充電時において、その直列共振インピーダンスが低くなり効率よく電源１００から、電流を引き出せるものである。すなわち、電源における利用効率を高くとることができるものである。
【００６３】
さらに、前記共振周波数を５０Ｈｚから６０Ｈｚ間もしくは１００Ｈｚから１２０Ｈｚ間の周波数と設定することにより、両周波数が混在して使用される地域（例えば、日本）においても、共通の電力変換装置において、上記効果を得ることができるものである。
【００６４】
（実施の形態４）
図６は、本実施の形態の電力変換装置の出力負荷として、インバータ装置１０９を連接し、そのインバータ出力電力を多相の駆動電圧に変換してモータ１１０に出力することを特徴とするモータ駆動装置である。なお、従来の実施の形態と同じ構成においては、同じ番号を付し説明を省略する。
【００６５】
本実施の形態によれば、従来型の電力変換装置を用いたモータ駆動装置に比べて、コンデンサおよびリアクタなどの構成要素部品が小型・軽量化が実現でき、全体の小型化に貢献するばかりでなく種々の用途に適用できるものである。
【００６６】
また、図６において、コンデンサ１０２、１０３の容量がモータ１１０の出力において大きく落ち込み図４（ｂ）の負荷電圧のようにほぼ電源電圧がゼロ付近にまで落ち込む、これによりモータ駆動のトルクのアンバランスが発生する、そこでスイッチ手段１０４を、繰り返しＯＮ／ＯＦＦすることにより、積極的に負荷電圧を昇圧することにより、インバータ１０９への供給電圧（負荷電圧）を維持するように、前記スイッチ手段１０４のスイッチ周期を、前記モータ１１０の最大出力時にインバータ端子電圧がゼロまで落ちない程度に設定することにより、モータ１１０の発生トルクを平準化するものである。
【００６７】
本実施の形態によれば、従来型の電力変換装置を用いたモータ駆動装置に比べて、コンデンサおよびリアクタなどの構成要素部品が小型・軽量化が実現でき、全体の小型化に貢献するばかりでなく、トルク変動（速度変動）のすくないモータ駆動インバータをじつげんできるものである。
【００６８】
また、モータ１１０の駆動電力が比較的に少なく負荷トルクが満足できる場合には、前記スイッチ手段１０４のスイッチング動作を停止することにより、システム効率を向上させることを特徴とするものである。
【００６９】
また、スイッチ手段１０４の動作を判断するためのモータ要求トルクの大小を、前記モ
ータ１１０に供給される電力から判断することにより、特にトルク計測装置（手段）を設けることなく、適切なインバータ運転制御を実現できるものである。
【００７０】
また、スイッチ手段１０４の動作を判断するためのモータ要求トルクの大小を、マイクロコンピュータ１１２などが指示するPWMモータ（回転数）指令１１３と、実際のモータ回転数１１４とから判断することにより、特にトルク計測装置（手段）を設けることなく、適切なインバータ運転制御を実現できるものである。とくに、本実施の形態は、モータ１１０がＤＣ同期ブラシレスモータなどのようにモータ駆動とインバータ駆動が同期することが必要なモータ駆動装置においては特に有効である。
【００７１】
また、スイッチ手段１０４の動作を判断するためのモータ要求トルクの大小を、モータの駆動電流を検出する電流検出手段（電流センサ）１１１により検出するものである。マイクロコンピュータ１１２にあらかじめ設定されたモータ運転周波数と運転電流の対応テーブルと実際の運転電流を電流検出手段１１１とから、負荷の大小を判断することにより、特にトルク計測装置（手段）を設けることなく、適切なインバータ運転制御を実現できるものである。とくに、本実施の形態は、モータ１１０がＤＣ同期ブラシレスモータなどでその駆動が正弦波駆動のような場合などのように、モータ駆動電流検出手段を保有するモータ駆動装置においては特に有効である。
【００７２】
また、スイッチ手段１０４の駆動回路１１６の駆動電源と、マイクロコンピュータ１１２などの制御装置電源と、モータ１１０駆動用インバータ装置１０９の電源を供給する電源装置を、同一の電源１１５から供給することにより、部品点数をすくない、かつ低コスト、小型と軽量のモータ駆動装置を実現するものである。
【００７３】
また、スイッチ手段１０４のスイッチング制御により、電源１００における電源電流の歪・電源高調波の発生量を変更することができる。すなわち、電源周波数に対して、適切に負荷電流を追従するように、スイッチ手段１０４におけるＯＮ／ＯＦＦを繰り返すことにより、負荷の電圧に無関係に電源電圧をリアクタ１０６とダイオード１０１とリアクタ１０６を介して、短絡させることができるので、任意のタイミングで電流を流すことが可能となる。これにより、部品点数をすくない、かつ低コスト、小型と軽量の電源高調波歪抑制手段を保有したモータ駆動装置を実現するものである。
【００７４】
また、コンデンサ１０２および１０３の直列回路に並列のコンデンサ（図示せず）を設けることにより、モータ１１０の停止時や減速時における回生電流を充電するコンデンサであり、このコンデンサを設けることにより、モータ１１０の加減速時においても、インバータ装置１０９の電圧が異常に上昇することなく、安定的に制御することができ、さらに電力の回生を有効に活用でき、効率の高いモータ駆動装置を実現できるものである。
【００７５】
また、図６において、スイッチ手段１０４のＯＮ／ＯＦＦ駆動信号１１７をインバータ手段１０９へのＰＷＭ信号１１３を出力するマイクロコンピュータ１１２から同じく出力するもので、同一のマイクロコンピュータ１１２から出力することにより、部品点数をすくない、かつ低コスト、小型と軽量の電源高調波歪抑制手段を保有したモータ駆動装置を実現するものである。
【００７６】
また、本発明の電力変換装置およびインバータ装置を搭載した空気調和機に適用した場合について説明する。
【００７７】
この実施の形態の空気調和機（図示せず）では、交流電源１００の電源が、本実施の形態の電力変換装置により整流及び昇圧され、インバータ手段１０９により３相のモータ駆動電圧に変換される。
【００７８】
そして、該３相モータ駆動電圧が圧縮機（図示せず）のモータ１１０に印加されると、冷媒循環経路内で冷媒が循環し熱交換が行われる。つまり、空気調和機では、冷媒の循環閉路に封入された冷媒を圧縮機により循環させることにより、冷媒の循環閉路内に周知のヒートポンプサイクルが形成される。これにより、室内の暖房あるいは冷房が行われる。
【００７９】
このように本実施の形態の空気調和機では、圧縮機の動力源であるモータを駆動するモータ駆動装置を、本発明の電力変換装置を適用したので、電力変換装置を構成するコンデンサの容量を小さくすることができ、これにより、該電力変換装置を搭載したモータ駆動装置の小型化及び低価格化、ひいては空気調和機の軽量化、小型化及び低価格化を図ることができる。また、空気調和機における電力変換装置が大幅に小型化できることにより、同じ室外機の外形サイズであっても、熱交換器の体積を大きくとることができ、また通風性能を邪魔する障害物が小さくなるので、空気調和機の性能を向上させることができるものである。
【産業上の利用可能性】
【００８０】
本発明は、交流電源を入力とする電力変換装置において、その出力端に直列に接続された複数のコンデンサと複数のリアクタにおいて、前記交流電源周期より短い周期で動作するスイッチ手段を備え、これにより前記コンデンサの、入力電圧の昇圧電圧を発生するのに必要な容量を大きく低減することができるので、交流電源を入力とする電力変換装置を有する機器に極めて有用なものである。
【図面の簡単な説明】
【００８１】
【図１】本発明の実施の形態の第一の電力変換装置の回路図
【図２】同第二の電力変換装置の回路図
【図３】（ａ）本発明の実施の形態の電力変換装置の動作説明図（モード１）（ｂ）同電力変換装置の動作説明図（モード２）（ｃ）同電力変換装置の動作説明図（モード３）
【図４】（ａ）本発明の実施の形態の電力変換装置の各部波形図（ｂ）図４（ａ）の拡大図
【図５】（ａ）本発明の実施の形態の電力変換装置の出力電圧とデュティとの関連図（ＯＮデュティ比３０％）（ｂ）同電力変換装置の出力電圧とデュティとの関連図（ＯＮデュティ比５０％）（ｃ）同電力変換装置の出力電圧とデュティとの関連図（ＯＮデュティ比７０％）
【図６】本発明の実施の形態の第三の電力変換装置の回路図
【図７】従来の全波倍電圧回路の回路図
【図８】同電力変換回路の回路図
【符号の説明】
【００８２】
１００  交流電源
１０１  整流ダイオードブリッジ
１０２  第一のコンデンサ
１０３  第二のコンデンサ
１０４  スイッチ手段
１０５  第二のリアクタ
１０６  第一のリアクタ
１０７  ダイオード
１０８  抵抗（負荷）
１０９  インバータ装置
１１０  モータ（圧縮機モータ）
１１１  電流検出手段（電流センサ）
１１２  マイクロコンピュータ
１１３  ＰＷＭ信号
１１４  モータ回転数
１１５  電源
１１６  スイッチ手段の駆動信号
【図１】
2006034028.tif 000003
【図２】
2006034028.tif 000004
【図３】
2006034028.tif 000005
【図４】
2006034028.tif 000006
【図５】
2006034028.tif 000007
【図６】
2006034028.tif 000008
【図７】
2006034028.tif 000009
【図８】
2006034028.tif 000010